(57)【特許請求の範囲】
【請求項１】
筒状を呈し、かつ可撓性を有するフィルム状の容器本体の両端に、環状体および閉塞体がそれぞれ設けられ、環状体には容器本体内の内容物の排出口が形成され、環状体および閉塞体の、容器本体の内部側における互いの対向面には、凹凸嵌合の状態で互いに係合し合うことによりこれら環状体と閉塞体との間に挟まれた容器本体を圧縮させる係合部および被係合部が形成され、係合した前記係合部および被係合部が一体化することにより、前記容器本体の圧縮状態が保持されることを特徴とする使い捨て容器。
【請求項２】
前記係合部および被係合部の少なくとも一方には、摩擦面が形成されていることを特徴とする請求項１記載の使い捨て容器。
【発明の詳細な説明】
【０００１】
【産業上の利用分野】
本発明は、本容器内の内容物を使い切った後、同種の内容物を本容器内へ充填するために用いたり、あるいはハードな外容器の中に収めて内容物が無くなったら使い捨てとする使い捨て容器に関する。
【０００２】
【従来の技術】
近年、シャンプーや洗剤等の樹脂製容器においては、資源の無駄使いを抑えたり環境保護を目的として、長く使えるハード容器内に簡易な構造の使い捨て容器を収納し、この使い捨て容器から内容物を取り出すようにし、内容物が無くなったら捨てるといった使用形態が増加してきている。その使い捨て容器としては、たとえば実開平５ー７１１４３号公報に示されるように、薄肉フィルム状の容器本体の開口部に環状樹脂体を接着または溶着したものがある。
【０００３】
【発明が解決しようとする課題】
上記公報に見られる使い捨て容器においては、捨てるにあたって、かさばらないように容器本体を丸め込んだり折り畳むなどして小さく縮小しても、元の形や大きさに復帰しようとする力が働いて好ましくないことが想定され、これを防ぐためには、輪ゴムで縮小状態を保持するなどの手間がかかる手段を必要とする。
【０００４】
本発明は上記事情に鑑みてなされたものであって、容器本体の縮小状態を簡単かつ確実に保持できて捨てる際にかさばることのない使い捨て容器を提供することを目的としている。
【０００５】
【課題を解決するための手段】
本発明は上記目的を達成するためになされたものであって、請求項１の使い捨て容器は、筒状を呈し、かつ可撓性を有するフィルム状の容器本体の両端に、環状体および閉塞体がそれぞれ設けられ、環状体には容器本体内の内容物の排出口が形成され、環状体および閉塞体の互いの対向面には、互いに係合して一体化することにより、これら環状体と閉塞体との間に挟まれた容器本体を圧縮させ、かつこの圧縮状態を保持させる係合部および被係合部が設けられていることを特徴としている。
【０００６】
また、請求項２の使い捨て容器は、請求項１記載の使い捨て容器において、前記係合部および被係合部を容器本体の内部側に形成したことを特徴としている。
【０００７】
また、請求項３の使い捨て容器は、請求項１または２記載の使い捨て容器において、係合部および被係合部を凹凸嵌合の状態で互いに係合し合うように形成したことを特徴としている。
【０００８】
また、請求項４記載の使い捨て容器は、請求項１、２または３記載の使い捨て容器において、前記係合部および被係合部の少なくとも一方に摩擦面を形成したことを特徴としている。
【０００９】
【作用】
本発明の請求項１記載の使い捨て容器によれば、環状体と閉塞体とを一体化させることにより容器本体が圧縮して縮小し、かつその状態が確実に保持されて捨てやすくなる。
【００１０】
また、請求項２記載の使い捨て容器では、請求項１の使い捨て容器において、環状体の係合部および閉塞体の被係合部を容器本体の内部側に形成したことにより、使用時あるいは両者を一体化させて捨てるときのいずれの場合も外観上邪魔になるものがなく、デザイン上の自由度が向上する。
【００１１】
また、請求項３の使い捨て容器では、請求項１または２記載の使い捨て容器において、環状体の係合部および閉塞体の被係合部を凹凸嵌合の状態で互いに係合し合うように形成したので、両者の厚さが縮小されてより薄くなり、コンパクト化が促進される。
【００１２】
また、請求項４記載の使い捨て容器では、請求項１、２または３記載の使い捨て容器において、環状体の係合部および閉塞体の被係合部の少なくとも一方に摩擦面を形成すれば、両者は容易には離れず一体化の状態がより保持される。
【００１３】
【実施例】
以下、図面を参照して本発明の一実施例を説明する。
図１は、シャンプーや洗剤等の液状内容物Ｗが充填される一実施例の使い捨て容器１を示している。この使い捨て容器１は、筒状に成形された樹脂製の容器本体１０と、この容器本体１０の両端にそれぞれ接着または溶着により設けられた樹脂製の環状体２０および閉塞体３０と、キャップ４０とから構成されている。
【００１４】
容器本体１０は、柔らかい可撓性を有する薄肉フィルムでできており、軸方向に圧縮すると薄く縮小することが可能なものである。
【００１５】
環状体２０は、容器本体１０の上端となる一端側に設けられており、フランジ部２１に瓶口状の開口壁部２２が一体に成形されたものである。フランジ部２１の上面側には周溝２３が形成され、また、内側には凹部（係合部）２４が形成され、その内周面には軸方向に沿って延びる多数の溝およびリブが交互に形成されてなるローレット（摩擦面）２５が形成されている。開口壁部２２の外周には、ねじ２２ａが形成されている。開口壁部２２内が排出口２６となっており、この排出口２６は、ねじ２２ａに合致するねじ４０ａが内周面に形成されたキャップ４０で閉じられる。フランジ部２１の外周面に、容器本体１０の一端部が被せられて接着あるいは溶着されている。なお、特にキャップ４０を用いず、フィルム等の薄膜を開口壁部２２に溶着して排出口２６を塞いでもよい。
【００１６】
閉塞体３０は、容器本体１０の下端となる他端側に設けられており、全体として底面側にへこみが形成されたもので、フランジ部３１の中央に、上方に突出する凸部（被係合部）３２が形成されている。凸部３２は環状体３０の凹部２４に対向しており、その外径は、凹部２４内にきつく嵌まり込んで抜けにくい程度に設定されている。フランジ部３１の外周面に、容器本体１０の他端部が被せられて接着あるいは溶着されている。
【００１７】
このように、本実施例の使い捨て容器１は容器本体１０の一端側に排出口２６がキャップ４０で閉じられる環状体２０が、他端側に閉塞体３０がそれぞれ設けられ、双方にそれぞれ形成された凹部２４と凸部３２とが向かい合っている。液状内容物Ｗはキャップ４０を外して排出口２６から充填される。そして、詰替えが必要となった別のハード容器等に、キャップ４０を外して液状内容物Ｗを全部充填して詰め替える。このようにして使用した後には捨てることになるが、その際には、図２に示すように、環状体２０の凹部２４に閉塞体３０の凸部３２を嵌合して両者を一体化する。この状態で、容器本体１０は環状体２０と閉塞体３０の間に挟まれて圧縮され薄く縮小される。また、閉塞体３０の凸部３２の外周面が環状体２０の凹部２４の内周面のローレット２５にきつく嵌まり込むことにより、両者は容易には離れない。なお、このように容易には離れない手段として、アンダーカット部を形成して凹凸嵌合させるようにしてもよい。
【００１８】
このように容器本体１０が圧縮状態とされ、かつ環状体２０と閉塞体３０とが一体化することにより、使い捨て容器１は非常にコンパクトになるとともに、容器本体１０が元の形や大きさに復帰することが阻止され、そのコンパクトな状態が、輪ゴム等の他の手段を用いることなくいつまでも保持される。すなわち、捨てるにあたってかさばらないように縮小させることが簡単かつ確実に実施でき、捨てやすくなる。
【００１９】
特に本実施例の場合、環状体２０と閉塞体３０とが凹凸嵌合により係合し合うので、両者の厚さが縮小化されてより薄くなり、コンパクト化が促進される。また、係合し合う凹部２４と凸部３２はいずれも容器本体１０の内部側に形成されているので、使用時あるいは両者を一体化させて捨てるときのいずれの場合も外観上邪魔になるものがなく、デザイン上の自由度が向上する。
【００２０】
図３、図４は本発明の他の実施例を示しており、図１、図２と同一構成要素には同一の符号を付してある。この実施例の使い捨て容器２では、環状体２０は瓶口状の開口壁部を有することのなく排出口２６が広口のもので、この環状体２０の内部がすなわち凹部２４となっている。図４に示すように、環状体２０の凹部２４に閉塞体３０の凸部３２を嵌合して一体化させる作用は、上記一実施例と同様である。
【００２１】
【発明の効果】
以上説明したように、本発明の請求項１記載の使い捨て容器によれば、環状体と閉塞体とを一体化させることにより容器本体が圧縮して縮小し、かつその状態が確実に保持されて捨てやすくなる。
【００２２】
また、請求項２記載の使い捨て容器では、請求項１の使い捨て容器において、環状体の係合部および閉塞体の被係合部を容器本体の内部側に形成したことにより、使用時あるいは両者を一体化させて捨てるときのいずれの場合も外観上邪魔になるものがなく、デザイン上の自由度が向上する。
【００２３】
また、請求項３の使い捨て容器では、請求項１または２記載の使い捨て容器において、環状体の係合部および閉塞体の被係合部を凹凸嵌合の状態で互いに係合し合うように形成したので、両者の厚さが縮小されてより薄くなり、コンパクト化が促進される。
【００２４】
また、請求項４記載の使い捨て容器では、請求項１、２または３記載の使い捨て容器において、環状体の係合部および閉塞体の被係合部の少なくとも一方に摩擦面を形成すれば、両者は容易には離れず一体化の状態がより保持される。
【図面の簡単な説明】
【図１】  本発明の一実施例の使い捨て容器の一部断面側面図である。
【図２】  同実施例容器を捨てる際の状態の一部断面側面図である。
【図３】  本発明の一実施例の使い捨て容器の一部断面側面図である。
【図４】  同実施例容器を捨てる際の状態の一部断面側面図である。
【符号の説明】
１、２…使い捨て容器、１０…容器本体、２０…環状体、
２４…凹部（係合部）、２５…ローレット（摩擦面）、２６…排出口、３０…閉塞体、３２…凸部（被係合部）、Ｗ…液状内容物。
【図１】
0003847354.tif 000002
【図２】
0003847354.tif 000003
【図３】
0003847354.tif 000004
【図４】
0003847354.tif 000005